(57)【特許請求の範囲】
【請求項１】
所定の厚みを有する枠体と、前記枠体の厚みよりも小さい厚みを有し、前記枠体に着脱自在に嵌め込まれるマットと、を含むベッド本体を備えたペット用ベッドであって、
前記ペット用ベッドは、前記マットの上面に吸収性シートを備え、
前記吸収性シートは、展開した状態の平面視面積が前記マットの上面の平面視面積よりも大きい、
前記ペット用ベッド。
【請求項２】
前記ペット用ベッドは、前記吸収性シートの上面に、５ｍｍ以上の厚みを有する液透過性のクッション材を備え、
前記クッション材は、０．０１ｍｍ〜３ｍｍの繊維径を有する熱可塑性樹脂製の連続繊維によって構成された繊維構造体からなる、請求項１に記載のペット用ベッド。
【請求項３】
前記繊維構造体は、密度が０．０１ｇ／ｃｍ３〜０．１０ｇ／ｃｍ３であり、３．４ｋＰａの圧力による加圧時の厚みが３ｍｍ以上である、請求項２に記載のペット用ベッド。
【請求項４】
前記クッション材は、上面の平面視面積が前記マットの上面の平面視面積の９０％以上、１００％未満である、請求項２又は３に記載のペット用ベッド。
【請求項５】
前記繊維構造体は、前記厚み方向に延在する側面において前記繊維構造体を構成する繊維の端部を有し、
前記端部は、前記吸収性シートに係合している、請求項２〜４のいずれか一項に記載のペット用ベッド。
【請求項６】
前記繊維構造体は、厚み方向において、前記繊維構造体の上面を形成し且つ相対的に密度の高い高密度層と、前記高密度層の下方側に位置し且つ相対的に密度の低い低密度層とを有する、請求項２〜５のいずれか一項に記載のペット用ベッド。
【請求項７】
前記吸収性シートは、前記クッション材の上面に延出した延出部を有する、請求項２〜６のいずれか一項に記載のペット用ベッド。
【請求項８】
前記吸収性シートは、表面シートと、裏面シートと、これら両シートの間に位置する吸収体とを備え、前記吸収体は、平面視面積が前記クッション材の上面の平面視面積よりも小さい、請求項２〜７のいずれか一項に記載のペット用ベッド。
【請求項９】
前記吸収性シートは、表面シートと、裏面シートと、これら両シートの間に位置する吸収体とを備え、前記吸収体は、平面視面積が前記クッション材の上面の平面視面積よりも大きい、請求項２〜７のいずれか一項に記載のペット用ベッド。
【請求項１０】
所定の厚みを有する枠体と、前記枠体の厚みよりも小さい厚みを有し、前記枠体に着脱自在に嵌め込まれるマットと、を備えたペット用ベッド本体の使用方法であって、
前記マットの上面に、展開した状態の平面視面積が前記マットの上面の平面視面積よりも大きい吸収性シートを配置することを含む、
前記使用方法。
【発明の詳細な説明】
【技術分野】
【０００１】
本発明は、犬や猫などのペットを飼育する際に用いられるペット用ベッドに関する。
【背景技術】
【０００２】
犬や猫などのペットが寝そべったりするためのペット用ベッドとして、内部に凹部を有する環状の枠体と、前記凹部に圧入されるクッション性を有するマットと、を備えたペット用ベッドが知られている。
【０００３】
そのようなペット用ベッドとして、例えば、特許文献１には、袋状をなすカバー内底部にリング状の枠部材を配置し、同枠部材を出し入れするための開口部を同枠部材の中央位置に配置するとともに、同カバーを内側に折り込むことによって同枠部材の外周面から内周面にかけて同カバーにて被覆し、同開口部を含む剰余の同カバー布地を同カバー内底部上に敷いて内部に凹部を有するベッド本体を構築する一方、同凹部の形状と略同一の平面形状を有するブロック体を同凹部に圧入してなる、愛玩動物用ベッドが開示されている。
この特許文献１に開示された愛玩動物用ベッドは、カバーを取り外して洗濯することができるので、衛生的であるとされている。
【先行技術文献】
【特許文献】
【０００４】
【特許文献１】特開２００６−１８０７９３号公報
【発明の概要】
【発明が解決しようとする課題】
【０００５】
しかしながら、特許文献１に開示された愛玩動物用ベッドは、上述のカバーが合成繊維等の布地によって構成されているため、寝たきりのペットがベッド上で尿などの液状排泄物を排泄したり、或いは、飼い主がペットをベッド上で洗浄液により洗浄したりすると、液状排泄物や洗浄液等の液状物が前記カバーを透過してしまい、内部の枠部材やブロック体を汚してしまう虞があった。
このような液状物による汚れを回避するために、ベッド上に、排泄物処理用の吸収性シートを敷いて使うことも考えられるが、このような吸収性シートをベッド上に単に敷いただけでは、上述の液状物がペットの体の表面や前記吸収性シートの表面を伝って拡散し、当該吸収性シートから漏出する（すなわち、伝い漏れが生じる）虞があった。
【０００６】
そこで、本発明は、液状排泄物や洗浄液等の液状物による汚れを回避することができ、良好な衛生状態を維持することができるペット用ベッドを提供することを目的とする。
【課題を解決するための手段】
【０００７】
本発明の一態様（態様１）は、所定の厚みを有する枠体と、前記枠体の厚みよりも小さい厚みを有し、前記枠体に着脱自在に嵌め込まれるマットと、を含むベッド本体を備えたペット用ベッドであって、当該ペット用ベッドは、前記マットの上面に吸収性シートを備え、前記吸収性シートは、展開した状態の平面視面積が前記マットの上面の平面視面積よりも大きい、前記ペット用ベッドである。
【０００８】
本態様１のペット用ベッドは、マットの上面に吸収性シートを備えているため、寝たきりのペットがベッド上で尿などの液状排泄物を排泄したり、或いは、飼い主がペットをベッド上で洗浄液により洗浄したりしても、液状排泄物や洗浄液等の液状物を吸収性シートにおいて吸収及び保持することができる。
そして、本態様１のペット用ベッドにおいて、前記吸収性シートは、展開した状態の平面視面積が前記マットの上面の平面視面積よりも大きいため、当該吸収性シートをベッド本体のマットの上面に配置したときに、吸収性シートの外周縁が、前記枠体の内周壁面に沿って上方側へ立ち上がり、上述の液状物に対する防漏壁として機能する起立部を形成することができる。このような起立部が形成されることにより、上述の液状物が、ペットの体の表面や吸収性シートの表面を伝って前記吸収性シートの面方向外側へ拡散したとしても、前記吸収性シートから漏出しにくくなる（すなわち、伝い漏れが生じにくくなる）。
したがって、本態様のペット用ベッドは、液状排泄物や洗浄液等の液状物による汚れを回避することができ、良好な衛生状態を維持することができる。
【０００９】
また、本発明の別の態様（態様２）では、前記態様１のペット用ベッドにおいて、前記ペット用ベッドは、前記吸収性シートの上面に５ｍｍ以上の厚みを有する液透過性のクッション材を備え、さらに、前記クッション材は、０．０１ｍｍ〜３ｍｍの繊維径を有する熱可塑性樹脂製の連続繊維によって構成された繊維構造体からなる。
【００１０】
本態様２のペット用ベッドは、吸収性シートの上面に配置される液透過性のクッション材が上記特定の連続繊維によって構成された繊維構造体からなり、該繊維構造体は、連続繊維によって折れ曲がりにくく、仮に折れ曲がったとしても元の状態に復元しやすいため、かかる繊維構造体が吸収性シートの上面に配置された本態様のペット用ベッドは、吸収性シートの配置形態を維持しやすく（すなわち、吸収性シートが折れ曲がったり、よれたりしにくく）、当該吸収性シートの機能を安定して発揮させることができる。これにより、上述の液状物が、ペットの体の表面或いはペットの体の表面と吸収性シートとの間を伝って拡散するような場合でも、吸収性シートからの漏出をより安定的に防ぐことができる。
【００１１】
更に本発明の別の態様（態様３）では、前記態様２のペット用ベッドにおいて、前記繊維構造体は、密度が０．０１ｇ／ｃｍ３〜０．１０ｇ／ｃｍ３であり、３．４ｋＰａの圧力による加圧時の厚みが３ｍｍ以上である。
【００１２】
本態様３のペット用ベッドは、吸収性シートの上面に配置される液透過性のクッション材が上記特定の物性を更に備えた繊維構造体からなり、ペットの体と吸収性シートとの間のスペーサー（空間保持部材）として機能するため、上述の液状物が、ペットの体の表面或いはペットの体の表面と吸収性シートとの間を伝って拡散しにくくなり、上述の伝い漏れをより確実に防ぐことができる。かかる作用効果は、クッション材が、ペットの体圧（すなわち、３．４ｋＰａ程度）によって一定程度潰れていても、当該クッション材が上記特定の構造（すなわち、上記態様２に係る構造）及び物性（すなわち、本態様３に係る上記各物性）を有することで、ペットの体と吸収性シートとの間の距離を一定以上確保することができ且つ上述の液状物の流路を一定量以上確保することができるため、十分に発揮することができる。
【００１３】
更に本発明の別の態様（態様４）では、前記態様２又は３のペット用ベッドにおいて、前記クッション材は、上面の平面視面積が前記マットの上面の平面視面積の９０％以上、１００％未満である。
【００１４】
本態様４のペット用ベッドは、前記クッション材の上面の平面視面積が前記マットの上面の平面視面積の９０％以上、１００％未満であるため、上述の吸収性シートの起立部が前記クッション材の側面と前記枠体の内周壁面との間の狭い隙間に挟まれて、当該起立部の立ち上がった状態を維持しやすくなっている。これにより、本態様のペット用ベッドは、上述の吸収性シートの起立部によって奏される作用効果をより確実に得ることができる。
【００１５】
更に本発明の別の態様（態様５）では、前記態様２〜４のいずれかのペット用ベッドにおいて、前記繊維構造体は、前記厚み方向に延在する側面において前記繊維構造体を構成する繊維の端部を有しており、当該端部は、前記吸収性シートに係合している。
【００１６】
本態様５のペット用ベッドは、前記繊維構造体の側面に存在する構成繊維の端部が、前記吸収性シートに係合しているため、上述の吸収性シートの起立部が前記繊維構造体の構成繊維の端部によって保持され、当該起立部の立ち上がった状態を更に維持しやすくなっている。これにより、本態様のペット用ベッドは、上述の吸収性シートの起立部によって奏される作用効果を更に確実に得ることができる。
【００１７】
更に本発明の別の態様（態様６）では、前記態様２〜５のいずれかのペット用ベッドにおいて、前記繊維構造体は、厚み方向において、前記繊維構造体の上面を形成し且つ相対的に密度の高い高密度層と、前記高密度層の下方側に位置し且つ相対的に密度の低い低密度層とを有する。
【００１８】
本態様６のペット用ベッドは、クッション材を構成する繊維構造体が厚み方向において相対的に密度（見掛け密度）の高い高密度層と、相対的に密度の低い低密度層とを有しているため、当該クッション材において、前記高密度層によってペットの体と吸収性シートとの間の空間を一定程度確保しつつ、前記低密度層によって一定のクッション性を確保することができる。
また、クッション材（繊維構造体）の上面を形成する高密度層は、構成繊維が密に存在して移動しにくくなっているため、クッション材の上面でペットが動いたりしても、当該上面における構成繊維の繊維間距離が変化しにくく、前記クッション材の上面に供給される液状排泄物や洗浄液等の液状物をクッション材の下方側へと安定的に移行させることができる。
【００１９】
更に本発明の別の態様（態様７）では、前記態様２〜６のいずれかのペット用ベッドにおいて、前記吸収性シートは、前記クッション材の上面に延出した延出部を有する。
【００２０】
本態様７のペット用ベッドは、前記吸収性シートがクッション材の上面に延出した延出部を有し、上述の吸収性シートの起立部が高く形成されているため、上述の伝い漏れ（すなわち、ペットの体の表面や吸収性シートの表面を伝って拡散することによる伝い漏れ）はもとより、クッション材の上方側の表面や構成繊維を伝って拡散することによる伝い漏れについても、生じにくくすることができる。これにより、本態様のペット用ベッドは、液状排泄物や洗浄液等の液状物による汚れをより確実に回避することができる。
【００２１】
更に本発明の別の態様（態様８）では、前記態様２〜７のいずれかのペット用ベッドにおいて、前記吸収性シートは、表面シートと、裏面シートと、これら両シートの間に位置する吸収体とを備え、前記吸収体は、前記クッション材の上面の平面視面積よりも小さい平面視面積を有する。
【００２２】
本態様８のペット用ベッドは、吸収性シートに含まれる吸収体がクッション材の上面の平面視面積よりも小さい平面視面積を有するものであるため、上述の吸収性シートの起立部が、表面シートと裏面シートの積層物によって構成されることとなる。かかる積層物によって構成された起立部は、吸収体を含まず、液状物を吸収しても厚みが変動しにくいため、前記吸収性シートが上述の液状物を吸収したとしても、上記起立部がクッション材の側面と前記枠体の内周壁面との間の隙間で立ち上がった状態を維持することができる。
特に、クッション材が上記態様５の構成を備えている場合は、当該クッション材（繊維構造体）の側面に存在する構成繊維の端部が、前記吸収性シートの起立部における表面シートを通過して裏面シートまで到達しやすく、当該構成繊維の端部と吸収性シートとをより強固に係合させることができるため、上述の起立部が立ち上がった状態をより確実に維持することができる。
【００２３】
更に本発明の別の態様（態様９）では、前記態様２〜７のいずれかのペット用ベッドにおいて、前記吸収性シートは、表面シートと、裏面シートと、これら両シートの間に位置する吸収体とを備え、前記吸収体は、前記クッション材の上面の平面視面積よりも大きい平面視面積を有する。
【００２４】
本態様９のペット用ベッドは、吸収性シートに含まれる吸収体がクッション材の上面の平面視面積よりも大きい平面視面積を有するものであるため、上述の吸収性シートの起立部が、表面シートと吸収体と裏面シートとの積層物によって構成されることとなる。かかる積層物によって構成された起立部は、液状排泄物や洗浄液等の液状物を吸収することができるため、大量の液状物が上述のように拡散してきたとしても、当該起立部において吸収することができ、上述の伝え漏れを更に確実に防ぐことができる。
【００２５】
更に本発明の別の態様（態様１０）は、所定の厚みを有する枠体と、前記枠体の厚みよりも小さい厚みを有し、前記枠体に着脱自在に嵌め込まれるマットと、を備えたペット用ベッド本体の使用方法であって、前記マットの上面に、展開した状態の平面視面積が前記マットの上面の平面視面積よりも大きい吸収性シートを配置することを含む、前記使用方法である。
【００２６】
本態様１０のペット用ベッド本体の使用方法は、ベッド本体のマットの上面に吸収性シートを配置するため、介護などの際に、寝たきりのペットがベッド上で尿などの液状排泄物を排泄したり、或いは、飼い主がペットをベッド上で洗浄液により洗浄したりしても、液状排泄物や洗浄液等の液状物を吸収性シートにおいて吸収及び保持することができる。
そして、本態様の使用方法に用いる上記吸収性シートは、展開した状態の平面視面積が前記マットの上面の平面視面積よりも大きいため、当該吸収性シートをベッド本体のマットの上面に配置したときに、前記吸収性シートの外周縁が、前記枠体の内周壁面に沿って上方側へ立ち上がり、上述の液状物に対する防漏壁として機能する起立部を形成することができる。このような起立部が形成されることにより、上述の液状物が、ペットの体の表面や吸収性シートの表面を伝って前記吸収性シートの面方向外側へ拡散したとしても、前記吸収性シートから漏出しにくくなる。
したがって、本態様のペット用ベッド本体の使用方法は、介護などの際に、寝たきりのペットがベッド上で尿などの液状排泄物を排泄したり、或いは、飼い主がペットをベッド上で洗浄液により洗浄したりしても、液状排泄物や洗浄液等の液状物によってベッド本体が汚れるのを回避することができ、良好な衛生状態を維持することができるため、飼い主によるベッド本体の洗浄等の手間を軽減することができる。
【発明の効果】
【００２７】
本発明のペット用ベッドによれば、液状排泄物や洗浄液等の液状物による汚れを回避することができ、良好な衛生状態を維持することができる。
【図面の簡単な説明】
【００２８】
【図１】図１は、本発明の一実施形態に係るペット用ベッドの斜視図である。
【図２】図２は、本発明の一実施形態に係るペット用ベッドの図１におけるＩＩ−ＩＩの線に沿った断面図である。
【図３】図３は、本発明の一実施形態に係るペット用ベッドの分解斜視図である。
【図４】図４は、本発明の一実施形態に係るペット用ベッドの、クッション材を除いた状態の平面図である。
【図５】図５は、本発明の一実施形態に係るペット用ベッドの図２におけるＶ部分の要部拡大図である。
【発明を実施するための形態】
【００２９】
以下、本発明のペット用ベッドの好適な実施形態について、図面を参照しながら詳細に説明する。なお、本明細書においては、特に断りのない限り、「使用状態と同じ態様で水平面上に置いた対象物（例えば、ペット用ベッド、ベッド本体、クッション材等）を垂直方向の上方側から対象物の厚み方向に見ること」を「平面視」というが、特に、対象物が吸収性シート等のシート状部材である場合は、「展開した状態で水平面上に置いた対象物を垂直方向の上方側から対象物の厚み方向に見ること」を「平面視」という。なお、平面視で見たときの図を「平面図」という。
【００３０】
本明細書に用いる各種方向等については、特に断りのない限り、以下のとおりである。
本明細書において、「長手方向」は、「平面視における縦長の対象物の長さの長い方向」を指し、「幅方向」は、「平面視における縦長の対象物の長さの短い方向（短手方向）」を指し、「厚み方向」は、「水平面上に置いた対象物に対して垂直方向」を指し、これらの長手方向、幅方向及び厚み方向は、それぞれ互いに直交する関係にある。
さらに、本明細書では、「対象物（例えば、ペット用ベッド、ベッド本体、クッション材、吸収性シート等）の中心（例えば、長手方向に延びる幅方向中央軸線と幅方向に延びる長手方向中央軸線との交点等）に対して相対的に近位側」を「内側」といい、同様に、「対象物（例えば、ペット用ベッド、ベッド本体、クッション材、吸収性シート等）の中心（例えば、長手方向に延びる幅方向中央軸線と幅方向に延びる長手方向中央軸線との交点）に対して相対的に遠位側」を「外側」という。なお、本明細書において「高さ」は、特に断りのない限り、水平面上に置いた対象物（例えば、ペット用ベッド等）において、基準面である水平面から対象物の頂点までの垂直方向の距離を意味する。
また、本明細書では、特に断りのない限り、ペット用ベッドの厚み方向において、「ペット用ベッドを使用状態と同じ態様で載置面に置いたときに、当該載置面に対して相対的に遠位側」を「上方側」といい、「ペット用ベッドの使用状態と同じ態様で載置面に置いたときに、当該載置面に対して相対的に近位側」を「下方側」という。
【００３１】
図１は、本発明の一実施形態に係るペット用ベッド１の斜視図であり、図２は、かかるペット用ベッド１の図１におけるＩＩ−ＩＩの線に沿った断面図であり、図３は、ペット用ベッド１の分解斜視図である。また、図４は、ペット用ベッド１の、クッション材６を除いた状態の平面図である。
図１及び図３に示すように、本発明の一実施形態に係るペット用ベッド１は、平面視にて、長手方向Ｌ及び幅方向Ｗを有する丸みを帯びた略矩形状の外形形状を有している。なお、本発明において、ペット用ベッドの平面視形状は、本実施形態のものに限定されず、対象とするペットのサイズや所望の意匠性等に応じて任意の形状（例えば、円形、楕円形、正方形、三角形、星形等）を採用することができる。また、ペット用ベッドの外形寸法は、当該ベッドを使用するペットのサイズや種類等に応じて適宜設定することができ、例えば、ペットが小型犬ないし中型犬の場合、長手方向Ｌの長さ（長手方向Ｌにおける枠体の枠の外側の表面間距離）は、４００ｍｍ〜１４００ｍｍ程度であり、幅方向Ｗの長さ（幅方向Ｗにおける枠体の枠の外側の表面間距離）は、２５０ｍｍ〜１２００ｍｍ程度である。
【００３２】
本実施形態に係るペット用ベッド１は、図１〜図３に示すように、所定の厚みを有する略長方形の枠状の枠体３及び該枠体３の厚みよりも小さい厚みを有する略直方体状のマット４を含むベッド本体５と、前記マット４の上方側Ｄａの面（上面）に配置された略長方形状の吸収性シート２と、前記吸収性シート２の上面に配置された、クッション性を有する略直方体状の繊維構造体からなるクッション材６と、によって構成されている。
【００３３】
また、ペット用ベッド１は、図１及び図２に示すように、ベッド本体５の周縁部分が所定の厚みを有する枠体３によって上方側Ｄａに盛り上がっており（すなわち、周縁部分の高さが高くなっており）、この周縁部分（枠体３）に囲まれた中央部分が下方側Ｄｂへ窪んだ凹部５Ｒとして構成されている。すなわち、凹部５Ｒは、図１及び図２に示すように、枠体３の枠の内側の面（内周壁面）からなる周壁部と、クッション材６の上面からなる底部と、によって構成されていて、当該凹部５Ｒの底部において、ペットの体圧を分散させながらペットの体を支持することができるようになっている。したがって、ペットは、この凹部５Ｒを寝床として横たわり、当該凹部５Ｒにおいて休息することができる。
【００３４】
なお、後述するように、上述のクッション材６は、本発明のペット用ベッドにおいては必須の構成要素ではないため、ペット用ベッドがこのようなクッション材を備えない場合は、上述の吸収性シートの上面が、上記凹部の底部を形成することになる。このような場合においても、上記凹部の底部の下方側（すなわち、上記吸収性シートの下方側）には、所定のクッション性を有するマットが配置されているため、当該凹部の底部において、ペットの体圧を分散させながらペットの体を支持することができるようになっている。
【００３５】
本実施形態に係るペット用ベッド１は、ベッド本体５のマット４の上面（すなわち、上記凹部５Ｒの底部の下方側Ｄｂ）に吸収性シート２を備えているため、ペット（特に、介護が必要な寝たきりのペット）が上記凹部５Ｒ内で尿などの液状排泄物を排泄したり、或いは、飼い主がペットを上記凹部５Ｒ内で洗浄液により洗浄したりしても、液状排泄物や洗浄液等の液状物を、上記凹部５Ｒの底部の下方側Ｄｂ（具体的には、クッション材６の下方側Ｄｂ）に配置された吸収性シート２において吸収及び保持することができるようになっている。
【００３６】
そして、本実施形態においては、上述の吸収性シート２は、展開した状態の平面視面積がマット４の上面の平面視面積よりも大きい外形寸法を有している。
吸収性シート２がこのような外形寸法を有していると、吸収性シート２をベッド本体５のマット４の上面に配置するときに、当該吸収性シート２の外周縁が、図１、図２及び図４に示すように、枠体３の内周壁面に沿って上方側Ｄａへ立ち上がり、上述の液状物に対する防漏壁として機能する起立部２Ｒを形成することができる。このような起立部２Ｒが形成されることにより、上述の液状物が、ペットの体の表面や吸収性シート２の表面を伝って該吸収性シート２の面方向外側へ拡散したとしても、吸収性シート２から漏出しにくくなる（すなわち、伝い漏れが生じにくくなる）。
したがって、本実施形態に係るペット用ベッド１は、液状排泄物や洗浄液等の液状物による汚れを回避することができ、良好な衛生状態を維持することができる。
【００３７】
なお、本明細書において、「平面視面積」とは、平面視した対象物（例えば、吸収性シート、マット、クッション材等）の外形形状の面積を意味する。したがって、本実施形態において、吸収性シート２の展開した状態の平面視面積は、当該吸収性シート２の上面の外形形状である長方形の面積を意味し、マット４の上面の平面視面積は、当該マット４の上面の外形形状である長方形の面積を意味する。
【００３８】
また、本発明のペット用ベッドは、ペットの飼育空間（例えば、室内等）の所定位置において、図１に示すように、ベッド本体の凹部が上方を向くように載置されて、ペットが上記凹部内に横たわって休息を取れるように使用される。なお、本発明のペット用ベッドは、ペットの飼育空間の床面又は地面に直接載置しても、所定のホルダーや敷材等を介して載置してもよい。
【００３９】
本発明のペット用ベッドが対象とするペットは、ペットとして飼育され得る動物であれば特に制限されず、犬や猫、ウサギなどの様々な動物に用いることができる。
【００４０】
以下、本発明のペット用ベッドを構成する各種部材について、上述の実施形態に係るペット用ベッド１を用いて更に詳細に説明する。
【００４１】
［ベッド本体］
本実施形態に係るペット用ベッド１において、ベッド本体５は、図２及び図３に示すように、所定の厚みを有し且つ略長方形の平面視形状を有する枠状の枠体３と、該枠体３の内側に着脱自在に嵌め込まれる、前記枠体３の厚みよりも小さい厚みを有する略直方体状のマット４と、によって構成されている。
ベッド本体５は、図２及び図３に示すように、周縁部分が所定の厚みを有する枠体３によってマット４が位置する中央部分よりも上方側Ｄａに盛り上がっており、この上方側Ｄａに盛り上がった周縁部分の内周壁面（すなわち、枠体３の枠の内側の面）と、該内周壁面に囲まれたマット４の上面とによって、上述の吸収性シート２及びクッション材６を収容するための収容凹部が形成されている。
かかる収容凹部は、底部が所定のクッション性を有するマット４によって形成されているため、ペット用ベッドが上述のクッション材を備えていなくても、ペットの体圧を分散させながらペットの体を支持することができるように構成されている。
【００４２】
［枠体］
本実施形態に係るペット用ベッド１において、ベッド本体５の一部を構成する枠体３は、図３に示すように、所定の厚みを有し且つ平面視にて略長方形の各辺に沿った枠状の構造を有する枠体本体部３１と、該枠体本体部３１の枠の内側において厚み方向Ｔの下方側Ｄｂに位置する底部３２Ｂを備えた、上記マット４を収容するための枠体凹部３２と、によって構成されている。
【００４３】
本実施形態において、ベッド本体５の周縁部分を構成する枠体本体部３１は、図１〜図３に示すように、略長方形の各辺に沿った枠状の平面視形状を有しているが、当該枠体本体部３１を構成する４辺のうちの１辺は、図３に示すように、他の３辺よりも上方側に盛り上がった（すなわち、他の３辺よりも相対的に高さが高い）枠体高部３１Ｈとして形成されており、ペット用ベッド１の凹部５Ｒ内に横たわるペットの背もたれとして機能することができる。一方、枠体本体部３１を構成する４辺のうちの３辺は、図３に示すように、上述の枠体高部３１Ｈよりも相対的に高さの低い枠体低部３１Ｌとして形成されており、ペットがペット用ベッド１の凹部５Ｒ内へ出入りしやすくなっているとともに、当該凹部５Ｒ内に横たわるペットが頭部を置く枕として機能することもできる。
【００４４】
なお、本発明において、枠体本体部の構造は、上述の実施形態のものに限定されず、枠体本体部は、４辺のうちの２辺が高さの高い枠体高部として形成されていてもよいし、４辺すべてが同じ高さを有していてもよい。また、枠体本体部の平面視形状が円形等の場合は、当該円形の周縁部分の一部が高さの高い枠体高部として形成されていてもよい。
【００４５】
さらに、本実施形態において、枠体本体部３１は、図２に示すように、該枠体本体部３１の基本骨格をなす芯材３１ａと、該芯材３１ａを覆うシート状の被覆材３１ｂと、によって構成されている。
芯材３１ａを構成する部材は、特に制限されず、当分野において公知の任意の部材を採用することができるが、中でも、綿（わた）やウレタンフォーム、発泡ビーズ等の所定のクッション性及び通気性を有するものを好適に用いることができる。
被覆材３１ｂを構成するシートも、特に制限されず、例えば、合成繊維や天然繊維等からなる布帛（例えば、織布や編布等）などを用いることができるが、該シートは、芯材３１ａの形状変化に対する追従性等の点から、伸縮性を有するものが好ましい。
【００４６】
また、本実施形態において、上述の枠体凹部３２は、図２及び図３に示すように、枠体本体部３１の枠の内側の面（内周壁面）と、該枠体本体部３１の枠の内側において厚み方向Ｔの下方側Ｄｂに位置する底部３２Ｂと、によって構成されている。かかる底部３２Ｂは、枠体本体部３１の下方側Ｄｂの面（下面）から連続するメッシュ状の布帛（例えば、合成繊維によって構成された織布や編布等）によって形成されており、上述の枠体凹部３２内に嵌め込まれるマット４に湿気等が籠らないように、通気性が確保されている。なお、上述のメッシュ状の布帛は、枠体本体部３１の下面の全体に亘って貼り付けられている。
また、本発明においては、枠体凹部は、このような態様に限定されず、布帛等の底部が存在しない開口部として形成されていてもよい。
【００４７】
なお、本発明において、枠体の平面視形状（すなわち、平面視における枠体本体部の枠の内側形状及び枠の外側形状）は、特に制限されず、対象とするペットのサイズや所望の意匠性等に応じて任意の形状（例えば、円形、楕円形、正方形、三角形、星形等）を採用することができる。また、枠体の外形寸法（各種方向長さ、厚み等）も、特に制限されず、対象とするペットのサイズや種類等に応じて任意の外形寸法を採用することができる。
【００４８】
［マット］
本実施形態に係るペット用ベッド１において、ベッド本体５の一部を構成するマット４は、図２及び図３に示すように、前記枠体３の枠の内側に着脱自在に嵌め込み得る平面視形状及び寸法を有し、且つ、前記枠体３の厚みよりも小さい厚みを有する略直方体状のクッション性部材によって構成されている。かかるマット４は、ペット用ベッド１の寝床となる凹部５Ｒに対応する下方側の位置に配置されて、上述のクッション材６とともに、上記凹部５Ｒ内に横たわるペットの体圧を分散させながら該ペットの体を支持することができるようになっている。
なお、上記枠体の厚みは、枠体が上述の実施形態のように一定の厚みを有していない場合、厚みが最も小さい部分の厚み（上述の実施形態の場合は、枠体低部３１Ｌの厚み）を指す。また、厚みの測定は、測定対象物（マット、枠体、クッション材等）を水平面上に載置し、任意の４箇所における高さ（水平面から測定対象物の上面までの距離）を測り、その平均値を採用する。
【００４９】
また、マット４を構成するクッション性部材は、当該クッション性部材がペット用ベッドの寝床として機能し得る物性（例えば、クッション性、柔軟性、強度、通気性等）を有するものであれば特に制限されず、例えば、綿（わた）やウレタンフォーム、発泡ビーズ、熱可塑性樹脂からなる網状の繊維構造体などを用いることができる。中でも、高反発性の優れたクッション性能を有するとともに、通気性や透水性、耐久性等においても優れた性能を有するという点から、上記クッション性部材は、熱可塑性樹脂製の連続繊維からなる網状の繊維構造体を用いることが好ましい。なお、かかる網状の繊維構造体は、熱可塑性樹脂製の連続繊維が多数のループを形成しつつも、無秩序に絡み合っていて、互いに熱融着によって接合している構造体である。したがって、かかる繊維構造体は、該繊維構造体の厚み方向に延在する側面において連続繊維（構成繊維）の端部を有し、該繊維構造体の内部においては、構成繊維の端部が実質的に存在していない。このような連続繊維を形成する熱可塑性樹脂としては、例えば、ポリエステル系樹脂、ポリアミド系樹脂、ポリエーテル系樹脂、ポリオレフィン系樹脂などを用いることができる。
また、上記繊維構造体としては、厚み方向において、相対的に密度（見掛け密度）の低い低密度層と相対的に密度の高い高密度層とを有する、２層構造の繊維構造体も好適に用いることができる。かかる２層構造の繊維構造体は、上述の低密度層を上方側にしてマットとして用いると、高反発性の優れたクッション性能を発揮することができる。
なお、繊維構造体の密度（見掛け密度）の測定は、後述するクッション材６を構成する繊維構造体と同様にして測定することができる。
【００５０】
また、上記クッション性部材は、合成繊維や天然繊維等からなる布帛（織布や編布等）などの被覆材によって被覆されていてもよいが、当該被覆材は、クッション性部材の形状変化に対する追従性等の点から、伸縮性を有するものが好ましい。
【００５１】
なお、本発明において、上記マットの形状及び外形寸法は、上記枠体の枠の内側に着脱自在に嵌め込み得る形状及び外形寸法を有し、且つ、上記枠体の厚みよりも小さい厚みを有するものであれば特に制限されず、任意の形状及び外形寸法を採用することができる。
【００５２】
［クッション材］
本実施形態に係るペット用ベッド１において、液透過性のクッション材６は、図２及び図３に示すように、上記枠体３の枠の内側に配置し得る平面視形状及び寸法を有する略直方体状の繊維構造体によって構成されている。かかるクッション材６は、上記マット４の上面に配置される後述の吸収性シート２の更に上面に配置されて、ペット用ベッド１の寝床となる凹部５Ｒの底部を形成し、当該凹部５Ｒ内に横たわるペットの体圧を分散させながら該ペットの体を支持することができるようになっている。
【００５３】
上述のクッション材６を構成する繊維構造体は、液透過性を有し且つペット用ベッドの寝床として機能し得る物性（例えば、クッション性、柔軟性、強度、通気性等）を有するものであれば特に制限されないが、中でも、高反発性の優れたクッション性能を有するとともに、液透過性や形状保持性、通気性、耐久性等においても優れた性能を有するという点から、上記繊維構造体は、上述のマット４を構成するクッション性部材と同様の、熱可塑性樹脂繊維からなる網状の繊維構造体を用いることが好ましく、更には、０．０１ｍｍ〜３ｍｍの繊維径を有する熱可塑性樹脂製の連続繊維によって構成され且つ５ｍｍ以上の厚みを有するという特定の構造を備えた繊維構造体を用いることがより好ましく、更には、上記特定の構造に加え、密度が０．０１ｇ／ｃｍ３〜０．１０ｇ／ｃｍ３であり、３．４ｋＰａ（３５ｇｆ／ｃｍ２）の圧力による加圧時の厚みが３ｍｍ以上であるという特定の物性を備えた繊維構造体を用いることが特に好ましい。
【００５４】
クッション材を構成する繊維構造体が上記特定の構造を備えたものであると、当該繊維構造体は、連続繊維によって折れ曲がりにくく、仮に折れ曲がったとしても元の状態に復元しやすいため、このような繊維構造体を吸収性シートの上面に配置することで、吸収性シートの配置形態が維持しやすくなり（すなわち、吸収性シートが折れ曲がったり、よれたりしにくくなり）、当該吸収性シートの機能を安定して発揮させることができる。
さらに、かかる繊維構造体が上記特定の物性を更に備えたものであると、クッション材が、ペットの体と吸収性シートとの間のスペーサー（空間保持部材）として機能するため、上述の液状排泄物や洗浄液等の液状物が、ペットの体の表面或いはペットの体の表面と吸収性シートとの間を伝って拡散しにくくなり、上述の伝い漏れをより確実に防ぐことができる。かかる作用効果は、クッション材が、犬などのペットの体圧（すなわち、３．４ｋＰａ程度）によって一定程度潰れていても、当該クッション材が上記特定の構造及び物性を有することで、ペットの体と吸収性シートとの間の距離を一定以上確保することができ且つ上述の液状物の流路を一定量以上確保することができるため、十分に発揮することができる。
【００５５】
ここで、繊維構造体を構成する繊維の繊維径の測定は、次のようにして行うことができる。まず、測定対象の繊維構造体の任意の１０箇所から、所定長さ（例えば、５ｍｍ）の繊維を切り出し、該切り出した繊維の端部を、繊維の延びる方向に対して直角に切断する。その切断面を所定の拡大倍率で撮影し、得られた断面写真から繊維の繊維径（ｍｍ）を測定する。なお、繊維径は、切り出した１０本の繊維の繊維径の平均値を採用する。
【００５６】
また、繊維構造体の密度（見掛け密度）の測定は、次のようにして行うことができる。まず、測定対象の繊維構造体から、厚みをそのままにして１５ｃｍ×１５ｃｍの大きさのサンプルを切り出し、該サンプルの質量（ｇ）を測定する。次に、切り出したサンプルの厚み（ｃｍ）を、上述のマットの厚みの測定方法と同様にして測定し、該サンプルの体積（ｃｍ３）を算出する。最後にサンプルの質量を体積で除することにより、密度（見掛け密度）の値（ｇ／ｃｍ３）を得ることができる。
【００５７】
そして、繊維構造体における、３．４ｋＰａ（３５ｇｆ／ｃｍ２）の圧力による加圧時の厚みの測定は、次のようにして行うことができる。まず、測定対象の繊維構造体に対して、所定の面積を有する加圧板（例えば、１００πｃｍ２の面積を有する円形の加圧板）を３．４ｋＰａの圧力で押し当てる。そして、その加圧板を押し当てた状態の繊維構造体の厚み（ｍｍ）を測定することにより、上記特定圧力による加圧時の厚みを得ることができる。
【００５８】
なお、本発明において、液透過性のクッション材の形状及び外形寸法は、本発明の効果を阻害しない限り特に限定されず、任意の形状及び外形寸法を採用することができる。
例えば、クッション材の厚みは、５ｍｍ〜２００ｍｍの範囲内の任意の厚みを採用することができる。
【００５９】
上述の液透過性のクッション材を構成する繊維構造体の製造方法は、特に制限されず、繊維構造体は、公知の任意の製造方法によって製造することができる。繊維構造体は、例えば、複数のオリフィスを有する多孔吐出ノズルから、溶融状態の熱可塑性樹脂を線条に吐出し、線条の吐出物同士を溶融状態のまま互いに接触させることにより、繊維状物が多数のループを形成しつつも無秩序に絡み合って互いに融着してなる網状の繊維構造物を得た後、一対の無端ネットコンベアで前記網状の繊維構造物の両面を挟持しながら冷却することにより製造することができる。
繊維構造体の厚みや密度、圧縮特性、構成繊維の繊維径等の諸物性は、上述の多孔吐出ノズルの吐出口径や吐出量（圧）、一対の無端ネットコンベアのコンベア間距離、搬送速度、冷却温度等の各種製造条件を適宜設定することにより、容易に調整することができる。
なお、上述のマットを構成する繊維構造体も、同様に製造することができる。
【００６０】
また、本発明においては、上述の液透過性のクッション材は、上面の平面視面積が前記マットの上面の平面視面積の９０％以上、１００％未満であることが好ましく、さらに、９５％以上、１００％未満であることがより好ましい。上記クッション材の上面の平面視面積が前記マットの上面の平面視面積の９０％以上、１００％未満であると、上述の吸収性シートの起立部がクッション材の側面と前記枠体の内周壁面との間の狭い隙間に挟まれて、当該起立部の立ち上がった状態を維持しやすくなる。これにより、上述の吸収性シートの起立部によって奏される作用効果をより確実に得ることができる。
【００６１】
さらに、本発明においては、上述の液透過性のクッション材を構成する繊維構造体は、当該繊維構造体の厚み方向に延在する側面において、当該繊維構造体を構成する繊維（構成繊維）の端部を有し、且つ、当該端部は、前記吸収性シートに係合していることが好ましい。
ここで、図５は、上述の実施形態に係るペット用ベッド１の図２におけるＶ部分の要部拡大図である。図５に示すように、クッション材６を構成する繊維構造体の側面に存在する構成繊維６１の端部６２が、吸収性シート２（具体的には、吸収性シート２の表面シート２１）に係合していると、上述の吸収性シート２の起立部２Ｒが、係合部ＥＮにおいて繊維構造体の構成繊維６１の端部６２によって保持され、当該起立部２Ｒの立ち上がった状態を更に維持しやすくなる。これにより、上述の吸収性シート２の起立部２Ｒによって奏される作用効果を更に確実に得ることができる。
なお、液透過性のクッション材を構成する繊維構造体は、上述の側面以外の面（すなわち、上面及び下面）には、構成繊維の端部が存在していないことが好ましい。繊維構造体がこのような構成を備えていると、体圧分散性がより一層優れた高反発性のクッション性能を得ることができる。
【００６２】
また、本発明においては、上述のクッション材を構成する繊維構造体は、厚み方向において、当該繊維構造体の上面を形成し且つ相対的に密度（見掛け密度）の高い高密度層と、前記高密度層の下方側に位置し且つ相対的に密度の低い低密度層とを有する、２層構造の繊維構造体も、好適に用いることができる。
クッション材を構成する繊維構造体が厚み方向において相対的に密度の高い高密度層と、相対的に密度の低い低密度層とを有していると、当該クッション材において、前記高密度層によってペットの体と吸収性シートとの間の空間を一定程度確保しつつ、前記低密度層によって一定のクッション性を確保することができる。
また、かかる２層構造の繊維構造体を、高密度層を上方側にして上述のクッション材として用いると、当該クッション材（繊維構造体）の上面を形成する高密度層は、構成繊維が密に存在して移動しにくくなっているため、クッション材の上面でペットが動いたりしても、当該上面における構成繊維の繊維間距離が変化しにくく、前記クッション材の上面に供給される液状排泄物や洗浄液等の液状物をクッション材の下方側へと安定的に移行させることができる。
【００６３】
なお、上述のとおり、液透過性のクッション材は、本発明のペット用ベッドにおいては必須の構成要素ではないものの、上述の伝い漏れをより確実に防止する等の観点から、ペット用ベッドは、クッション材を備えていることが好ましい。
【００６４】
［吸収性シート］
本実施形態に係るペット用ベッド１において、吸収性シート２は、図１〜図３に示すように、展開した状態の平面視にて略長方形の外形形状を有する吸収性のシート状部材によって構成されており、少なくとも表面シート２１と、裏面シート２２と、これら両シートの間に位置する吸収体２３とを備えている。かかる吸収性シート２は、上述のベッド本体５のマット４の上面（すなわち、ペット用ベッド１の寝床となる凹部５Ｒの底部の下方側Ｄｂ）に配置され、ペット（特に、介護が必要な寝たきりのペット）が上記凹部５Ｒ内で尿などの液状排泄物を排泄したり、或いは、飼い主がペットを上記凹部５Ｒ内で洗浄液により洗浄したりしても、液状排泄物や洗浄液等の液状物を、上記凹部５Ｒの底部の下方側Ｄｂ（本実施形態では、クッション材６の下方側Ｄｂ）において吸収及び保持することができるようになっている。
【００６５】
そして、本発明のペット用ベッドにおいては、ベッド本体のマットの上面に配置される吸収性シートは、展開した状態の平面視面積が前記マットの上面の平面視面積よりも大きい外形寸法を有していることが必須の構成要件である。
吸収性シートがこのような外形寸法を有するものであると、吸収性シートをベッド本体のマットの上面に配置するときに、当該吸収性シートの外周縁が、図１、図２及び図４に示すように、枠体の内周壁面に沿って上方側へ立ち上がり、上述の液状排泄物や洗浄液等の液状物に対する防漏壁として機能する起立部を形成することができる。このような起立部が形成されることによって、上述の液状物が、ペットの体の表面や吸収性シートの表面を伝って前記吸収性シートの面方向外側へ拡散したとしても、吸収性シートから漏出しにくくなる（すなわち、伝い漏れが生じにくくなる）。
【００６６】
吸収性シートを構成する吸収性のシート状部材は、少なくとも表面シートと、裏面シートと、これら両シートの間に位置する吸収体とを備え、且つ、展開した状態の平面視面積が上記マットの上面の平面視面積よりも大きい外形寸法を有するものであれば、特に制限されず、任意のシート状部材を採用することができる。上述の外形寸法以外の点では、例えば、特開２００５−１９８５９８号公報などに開示されている、ペットの排泄物処理用の吸収性シートなどを好適に用いることができる。
【００６７】
また、本発明において、上述の吸収性シートの外形寸法（サイズ）は、展開した状態の平面視面積が上記マットの上面の平面視面積よりも大きくなるものであれば特に制限されず、任意の外形寸法を採用することができるが、吸収性シートは、上述の実施形態のように、該吸収性シートの上面にクッション材が配置されたときに、当該クッション材の上面に吸収性シートの外周縁が延出部として延出することができる程度の外形寸法を有していることが好ましい。
上述の実施形態において、吸収性シート２は、図２に示すように、外周縁がクッション材６の上面に延出した延出部２Ｅを有していて、吸収性シート２の起立部２Ｒが高く形成されているため、上述の伝い漏れ（すなわち、ペットの体の表面や吸収性シート２の表面を伝って拡散することによる伝い漏れ）はもとより、クッション材６の上方側Ｄａの表面や構成繊維を伝って拡散することによる伝い漏れについても、生じにくくすることができる。これにより、上述の液状排泄物や洗浄液等の液状物による汚れをより確実に回避することができる。
【００６８】
また、本発明においては、上述の吸収性シートは、吸収体がクッション材の上面の平面視面積よりも小さい平面視面積を有するものも、好適に用いることができる。
吸収性シートに含まれる吸収体がクッション材の上面の平面視面積よりも小さい平面視面積を有するものであると、上述の吸収性シートの起立部が、表面シートと裏面シートの積層物によって構成されることとなる。かかる積層物によって構成された起立部は、吸収体を含まず、上述の液状物を吸収しても厚みが変動しにくいため、吸収性シートが上述の液状物を吸収したとしても、上記起立部がクッション材の側面と前記枠体の内周壁面との間の隙間で立ち上がった状態をより安定的に維持することができる。
特に、上述のクッション材を構成する繊維構造体の構成繊維の端部が吸収性シートに係合しているような場合は、当該クッション材（繊維構造体）の側面に存在する構成繊維の端部が、吸収性シートの起立部における表面シートを通過して裏面シートまで到達しやすく、当該構成繊維の端部と吸収性シートとをより強固に係合させることができるため、上述の起立部が立ち上がった状態をより確実に維持することができる。
【００６９】
さらに、本発明においては、上述の吸収性シートは、吸収体がクッション材の上面の平面視面積よりも大きい平面視面積を有するものも、好適に用いることができる。
吸収性シートに含まれる吸収体がクッション材の上面の平面視面積よりも大きい平面視面積を有するものであると、上述の吸収性シートの起立部が、表面シートと吸収体と裏面シートとの積層物によって構成されることとなる。かかる積層物によって構成された起立部は、上述の液状排泄物や洗浄液等の液状物を吸収することができるため、大量の液状物が吸収性シートの面方向外側へ拡散してきたとしても、当該起立部において吸収することができ、上述の伝え漏れを更に確実に防ぐことができる。
【００７０】
［使用方法］
以下、本発明の別の態様である、上述のペット用ベッドにおけるベッド本体の使用方法について説明する。
ペット用ベッド本体は、上述のとおり、所定の厚みを有する枠体と、前記枠体の厚みよりも小さい厚みを有し、前記枠体に着脱自在に嵌め込まれるマットと、を備えており、かかるベッド本体は、前記マットの上面に、展開した状態の平面視面積が前記マットの上面の平面視面積よりも大きい吸収性シートを配置して使用することができる。
【００７１】
かかるベッド本体の使用方法は、ベッド本体のマットの上面に吸収性シートを配置するため、ペットの介護などの際に、寝たきりのペットがベッド上で尿などの液状排泄物を排泄したり、或いは、飼い主がペットをベッド上で洗浄液により洗浄したりしても、液状排泄物や洗浄液等の液状物をマットの上面に配置された吸収性シートにおいて吸収及び保持することができる。さらに、上記吸収性シートは、展開した状態の平面視面積が前記マットの上面の平面視面積よりも大きいため、当該吸収性シートをベッド本体のマットの上面に配置したときに、前記吸収性シートの外周縁が、前記枠体の内周壁面に沿って上方側へ立ち上がり、上述の液状物に対する防漏壁として機能する起立部を形成することができる。このような起立部が形成されることにより、上述の液状物が、ペットの体の表面や吸収性シートの表面を伝って前記吸収性シートの面方向外側へ拡散したとしても、前記吸収性シートから漏出しにくくなる。
したがって、かかるベッド本体の使用方法は、ペットの介護などの際に、寝たきりのペットがベッド上で尿などの液状排泄物を排泄したり、或いは、飼い主がペットをベッド上で洗浄液により洗浄したりしても、液状排泄物や洗浄液等の液状物によってベッド本体が汚れるのを回避することができ、良好な衛生状態を維持することができるため、飼い主によるベッド本体の洗浄等の手間を軽減することができる。
【００７２】
なお、本発明のペット用ベッド及びベッド本体の使用方法は、上述の実施形態に制限されることなく、本発明の目的、趣旨を逸脱しない範囲内において、適宜組み合わせや変更等が可能である。例えば、ペット用ベッドは、着脱自在の洗濯可能なベッド用カバーを備えていてもよい。
【符号の説明】
【００７３】
１    ペット用ベッド
２    吸収性シート
２１    表面シート
２２    裏面シート
２３    吸収体
３    枠体
３１    枠体本体部
３１ａ    芯材
３１ｂ    被覆材
３２    枠体凹部
３２Ｂ    底部
４    マット
５    ベッド本体
６    クッション材
６１    構成繊維
６２    端部
【要約】
【課題】本発明は、液状排泄物や洗浄液等の液状物による汚れを回避することができ、良好な衛生状態を維持することができるペット用ベッドを提供するものである。
【解決手段】本発明は、所定の厚みを有する枠体（３）と、前記枠体（３）の厚みよりも小さい厚みを有し、前記枠体（３）に着脱自在に嵌め込まれるマット（４）と、を含むベッド本体（５）を備えたペット用ベッド（１）であって、該ペット用ベッド（１）は、前記マット（４）の上面に吸収性シート（２）を備え、前記吸収性シート（２）は、展開した状態の平面視面積が前記マット（４）の上面の平面視面積よりも大きい、ペット用ベッド（１）である。
【選択図】図１【図１】
0005998305.tif 000002
【図２】
0005998305.tif 000003
【図３】
0005998305.tif 000004
【図４】
0005998305.tif 000005
【図５】
0005998305.tif 000006